(57)【要約】【課題】第一のアダプタ半体と、第二のアダプタ半体とを一体化するに際し、組み合わせ強度が向上し、且つ一体化した後での強度管理も容易となる光コネクタ相互接続用アダプタを提供する。【解決手段】一方向からの光コネクタプラグＰ１を受け入れる第一のアダプタ半体１ａと、他方向からの光コネクタプラグＰ２を受け入れる第二のアダプタ半体１ｂとを有し、第一および第二のアダプタ半体１ａ，１ｂ同士を、互いに形成した可撓性を有する突片８にそれぞれ穿設してある係合孔１１と、当該突片８に対向して互いに形成した溝部９にそれぞれ突設してある係合突起１０との相互の係合により接合一体化可能として成るアダプタ本体１を構成する。【選択図】図１
2008046592.tif 000002
【特許請求の範囲】
【請求項１】
光コネクタプラグを両側から嵌挿して接続保持する光コネクタ相互接続用アダプタであって、一方向からの光コネクタプラグを受け入れる第一のアダプタ半体と、他方向からの光コネクタプラグを受け入れる第二のアダプタ半体とを有し、第一および第二のアダプタ半体同士を、互いに形成された可撓性を有する突片にそれぞれ穿設されている係合孔と、当該突片に対向して互いに形成された溝部にそれぞれ突設されている係合突起との相互の係合により接合可能として成ることを特徴とする光コネクタ相互接続用アダプタ。
【発明の詳細な説明】
【技術分野】
【０００１】
本発明は、光ファイバコネクタを相互接続する光コネクタ相互接続用アダプタに関する。
【背景技術】
【０００２】
従来、この種の光コネクタ相互接続用アダプタとしては、長方形の凹凸を組み合わせて互いに左右で合体される二個のハウジングを、割りスリーブを内蔵させてから超音波溶着で凸側先端を溶かして一体化させて成るものが知られている。
【０００３】
また、左右で合体される二個のハウジングそれぞれの合体面部同士に、一組の丸い突起と孔が圧入寸法に形成され、互いに合体面部に形成された突起を対向する孔に圧入して一体化させて成るものも知られている。
【特許文献１】特に無し
【発明の開示】
【発明が解決しようとする課題】
【０００４】
しかしながら、従来のこの種アダプタにおいて、二個のハウジングを超音波溶着で一体化させて成るものは、溶着後の強度管理が非常に難しいものとなる。また、互いに合体面部に形成された突起を対向する孔に圧入して一体化させて成るものは、圧入寸法を維持する形状の管理が難しく、しかもショートモールドぎみだと組み合わせ強度が低下するおそれがある。
【０００５】
そこで、本発明は、叙上のような従来存した諸事情に鑑み案出されたもので、一方向からの光コネクタプラグを受け入れる第一のアダプタ半体と、他方向からの光コネクタプラグを受け入れる第二のアダプタ半体とを一体化させるに際し、組み合わせ強度が向上し、且つ一体化した後での強度管理も容易となる光コネクタ相互接続用アダプタを提供することを目的とする。
【課題を解決するための手段】
【０００６】
上述した課題を解決するため、本発明にあっては、光コネクタプラグを両側から嵌挿して接続保持する光コネクタ相互接続用アダプタであって、一方向からの光コネクタプラグを受け入れる第一のアダプタ半体と、他方向からの光コネクタプラグを受け入れる第二のアダプタ半体とを有し、第一および第二のアダプタ半体同士を、互いに形成された可撓性を有する突片にそれぞれ穿設されている係合孔と、当該突片に対向して互いに形成された溝部にそれぞれ突設されている係合突起との相互の係合により接合可能として成ることを特徴とする。
【発明の効果】
【０００７】
本発明によれば、一方向からの光コネクタプラグを受け入れる第一のアダプタ半体と、他方向からの光コネクタプラグを受け入れる第二のアダプタ半体とを一体化させるに際し、組み合わせ強度が向上し、且つ一体化した後での強度管理も容易となる。
【発明を実施するための最良の形態】
【０００８】
以下、図面を参照して本発明を実施するための最良の一形態を説明する。
図において示される符号１は、一対の対向する光コネクタプラグＰ１、Ｐ２を相互接続するための光コネクタ相互接続用アダプタを構成するアダプタ本体であり、該アダプタ本体１は、図１、図２に示すように、一方向からの光コネクタプラグＰ１を受け入れる第一のアダプタ半体１ａと、他方向からの光コネクタプラグＰ２を受け入れる第二のアダプタ半体１ｂと、両アダプタ半体１ａ、１ｂ相互にわたって嵌挿される割りスリーブ２とから構成されている。
【０００９】
これらアダプタ半体１ａ、１ｂは、図５および図６に示すように、一対の対向する光コネクタプラグＰ１、Ｐ２を当該アダプタ半体１ａ、１ｂそれぞれの一端開口に挿入可能とする矩形状の筒体によって形成され、両アダプタ半体１ａ、１ｂのそれぞれ他端には、図３（ａ）、図３（ｂ）および図４に示すように、壁部３、４が一体形成され、該壁部３、４それぞれの中央には、光コネクタプラグＰ１、Ｐ２それぞれの先端部を装着保持するための、内側から一端開口側へ向けて突出した状態の円筒状を成す左右一対のスリーブホルダー５、６を備えている。
【００１０】
したがって、図３（ｃ）、図３（ｄ）、図３（ｅ）、図３（ｆ）および図４に示すように、両アダプタ半体１ａ、１ｂそれぞれの壁部３、４同士が後述するパッチン止めによって接合されて互いに一体化されることで、互いに合致した両壁部３、４が中央仕切部７となり、中央仕切部７を介して両スリーブホルダー５、６がそれぞれ反対向きに突出配置される。そして、この両スリーブホルダー５、６内には割りスリーブ２が嵌挿配置される。
【００１１】
図１乃至図３に示すように、両アダプタ半体１ａ、１ｂそれぞれの左右側面には、可撓性を有する帯板状の突片８と、該突片８の幅員、長さ、厚みに合致した矩形状の溝部９とが互い違いに形成されている。このとき、第一のアダプタ半体１ａの突片８（または溝部９）と、第二のアダプタ半体１ｂの溝部９（または突片８）とが互いに対向するように配置されている。そして、図１および図２に示すように、溝部９の内側には、前方に向けてテーパ１０ａを有する略直角台形状の係合突起１０が突設され、これに対応して突片８には、当該係合突起１０を係入可能とさせる程度の孔サイズを有する略矩形状の係合孔１１が穿設されている。
【００１２】
したがって、両アダプタ半体１ａ、１ｂそれぞれの壁部３、４同士を合致させて一体化させる際には、突片８が溝部９に挿入してスライドして行くと、突片８の先端が溝部９における係合突起１０のテーパ１０ａ面に沿って外側に撓曲し、溝部９の係合突起１０が突片８の係合孔１１と合致したときには、当該係合孔１１に係合突起１０が係合する（所謂パッチン止め）。
【００１３】
尚、第一のアダプタ半体１ａには、光コネクタプラグＰ１を挿入するための凹状のキー溝１２が長手方向に沿って形成されている。
【００１４】
次に、以上のように構成された最良の形態についての組立、使用の一例について説明する。
アダプタ本体１の組立に際し、先ず、図１に示すように、いずれか一方のアダプタ半体１ａ（または１ｂ）の壁部３におけるスリーブホルダー５の内方に向けて割りスリーブ２の略半分が嵌挿される。
【００１５】
そして、両アダプタ半体１ａ、１ｂそれぞれの壁部３、４同士を合致させて一体化する。このとき、他方のアダプタ半体１ｂ（または１ａ）のスリーブホルダー６内に割りスリーブ２の他の略半分が嵌挿される。
【００１６】
そして、突片８を溝部９に挿入し、突片８の先端が溝部９における係合突起１０のテーパ１０ａ面に当たると突片８自体は若干外側に撓曲し、溝部９の係合突起１０が突片８の係合孔１１と合致したときに当該係合孔１１に係合突起１０が係合することでパッチン止めされ、両アダプタ半体１ａ、１ｂは互いに一体化される（図２、図３参照）。
【００１７】
こうして、図４に示すように、中央仕切部７を介して両スリーブホルダー５、６がそれぞれ反対向きに突出配置され、且つ両スリーブホルダー５、６内に割りスリーブ２が内挿された状態となる。
【００１８】
光コネクタプラグＰ１、Ｐ２の相互接続に際し、図５および図６に示すように、第一のアダプタ半体１ａの開口端側から光コネクタプラグＰ１の先端部分がキー溝１２に沿って挿入され、第二のアダプタ半体１ｂの開口端側から光コネクタプラグＰ２の先端部分がキー溝１２に沿って挿入される。そして、両スリーブホルダー５、６内の割りスリーブ２内にそれぞれの心線（フェルール）が導入される。これによって光コネクタプラグＰ１、Ｐ２同士が接続される。
【図面の簡単な説明】
【００１９】
【図１】本発明を実施するための最良の形態における光コネクタ相互接続用アダプタの分解斜視図である。
【図２】同じく光コネクタ相互接続用アダプタの組立状態を示す斜視図である。
【図３】同じく光コネクタ相互接続用アダプタを示し、（ａ）は正面図、（ｂ）は背面図、（ｃ）は平面図、（ｄ）は底面図、（ｅ）は左側面図、（ｆ）は右側面図である。
【図４】図３（ａ）のＡ−Ａ断面図である。
【図５】光コネクタ相互接続用アダプタの使用状態を説明する正面図である。
【図６】同じく光コネクタ相互接続用アダプタの使用状態を説明する縦断面図である。
【符号の説明】
【００２０】
Ｐ１、Ｐ２  光コネクタプラグ
１          アダプタ本体
１ａ        第一のアダプタ半体
１ｂ        第二のアダプタ半体
２          割りスリーブ
３、４      壁部
５、６      スリーブホルダー
７          中央仕切部
８          突片
９          溝部
１０        係合突起
１０ａ      テーパ
１１        係合孔
１２        キー溝
【図１】
2008046592.tif 000003
【図２】
2008046592.tif 000004
【図３】
2008046592.tif 000005
【図４】
2008046592.tif 000006
【図５】
2008046592.tif 000007
【図６】
2008046592.tif 000008